(57)【特許請求の範囲】
【請求項１】
入力される音声の入力音声信号レベルを所定の調整レベルに調整して出力する調整出力手段と、
前記調整出力手段における前記調整レベルの変更を開始する為のトリガを発生するトリガ手段と、
前記トリガを検知すると、前記入力音声信号レベルを所望の音声信号レベルで出力する為に、前記調整レベルを変更する調整レベル変更手段と、
前記トリガが発生する毎に、前記調整出力手段から出力される音声信号レベルに、前記トリガに応じた見出しを付して記録する記録手段と、
を備えることを特徴とする音響装置。
【請求項２】
前記トリガ手段は、前記音声の入力者が替わった場合に前記トリガを発生させる為のスイッチであることを特徴とする請求項１記載の音響装置。
【請求項３】
前記トリガ手段は、前記入力音声信号レベルの変化によって前記入力者が替わったことを認識した場合に、前記トリガを発生することを特徴とする請求項１記載の音響装置。
【請求項４】
前記トリガを発生させる為のスイッチを備えることを特徴とする請求項３記載の音響装置。
【請求項５】
入力される音声の入力音声信号レベルを所定の調整レベルに調整して出力する調整出力手段と、
前記調整出力手段における前記調整レベルの変更を開始する為のトリガを発生するトリガ手段と、
前記トリガを検知すると、前記入力音声信号レベルを所望の音声信号レベルで出力する為に、前記調整レベルを変更する調整レベル変更手段とを有した音響装置であって、
前記トリガ手段が、前記入力される音声の特徴を示すデータを検出して前記入力者が替わったことを認識するものであって、
前記入力者の音声の特徴を示すデータ及び当該入力者の名前が記録される記録手段と、
前記トリガ手段が検出した音声の特徴を示すデータに応じた入力者の名前を前記記録手段から読み出す読み出し手段と、
前記読み出し手段によって読み出された前記入力者の名前を表示する表示手段と、
を備えることを特徴とする音響装置。
【請求項６】
前記トリガを発生させる為のスイッチを備えることを特徴とする請求項５記載の音響装置。
【請求項７】
入力される音声の入力音声信号レベルを所定の調整レベルに調整して出力する調整出力手段と、
前記調整出力手段における前記調整レベルの変更を開始する為のトリガを発生するトリガ手段と、
前記トリガを検知すると、前記入力音声信号レベルを所望の音声信号レベルで出力する為に、前記調整レベルを変更する調整レベル変更手段とを有した音響装置であって、
前記トリガ手段が、前記入力される音声の特徴を示すデータを検出して前記入力者が替わったことを認識するものであって、
前記入力者の音声の特徴を示すデータ及び当該入力者の名前が記録される第１の記録手段と、
前記トリガ手段が検出した音声の特徴を示すデータに応じた入力者の名前を前記記録手段から読み出す読み出し手段と、
前記トリガが発生する毎に、前記読み出し手段が読み出した前記入力者の名前を見出しに付して、前記調整出力手段から出力される音声信号レベルを記録する第２の記録手段と、
を備えることを特徴とする音響装置。
【請求項８】
前記トリガを発生させる為のスイッチを備えることを特徴とする請求項７記載の音響装置。
【発明の詳細な説明】
【０００１】
【発明の属する技術分野】
本発明は、使用する状況の変化に応じて出力音量の調整を行う機能を備えた音響装置に関する。
【０００２】
【従来の技術】
従来から、講演会場等において講演を行う際は、マイク等に入力された声の音声信号レベルを調整し、聴講者に向けられたスピーカから、調整した音声信号レベルを拡声して出力する機能を持った音響装置を使用して、聴講者に対して講演を行っている。
【０００３】
図１２は、従来の音響装置の内部構成を示すブロック図である。
同図に示したように、音響装置１２００は、音声信号入力部１２０１、音量調整器１２０２、入力音圧測定部１２０３、音量制御部１２０４、音声信号出力部１２０５、及び音圧レベル設定部１２０６を備えて構成される。
【０００４】
音声信号入力部１２０１は、マイク等に入力された音声の音声信号を音量調整器１２０２及び入力音圧測定部１２０３に入力する。入力音圧測定部１２０３は、音声信号入力部１２０１によって入力された音声信号の音圧レベルを測定し、測定した音圧レベルを音量制御部１２０４に入力する。音量調整器１２０２は、音声信号入力部１２０１によって入力された音声信号を、音量制御部１２０４の制御によって可変して出力する。音量調整器１２０２から出力された音声信号は、音声信号出力部１０５から出力されてスピーカ等によって拡声されるとともに、音量制御部１２０４にも入力される。
【０００５】
音圧レベル設定部１２０６は、音声信号出力部１２０５から出力される音声信号の音圧レベル（以下、出力音圧レベルという）を音響装置１２００の操作者が設定する為のスイッチ等から構成される。音量制御部１２０４は、入力音圧測定部１２０３から入力される入力音圧レベルと、音量調整器１２０２から出力される出力音圧レベルとに基づいて、出力音圧レベルが、音圧レベル設定部１２０６によって設定されている音圧レベルに収束するように音量調整器１２０２を制御する。
【０００６】
次に音響装置１２００において、入力音圧測定部１２０３から入力される入力音圧レベルが、例えば低くなった場合の動作について説明する。
この場合、入力音圧レベルが低くなった為、音量調整器１２０２から出力される出力音圧レベルも、それに合わせて低くなる。そして低くなった出力音圧レベルは音量制御部１２０４に入力される。ここでは、この低くなった出力音圧レベルが、音圧設定部１２０６に設定されている音圧レベルよりも低いとする。
【０００７】
音量制御部１２０４では、入力音圧レベルと出力音圧レベルとに基づいて、音圧レベル設定部１２０６に設定されている音圧レベルに出力音圧レベルが収束するように、音量調整器１２０２の制御を行う。この制御により、出力音圧レベルは、設定された音圧レベルまで上昇して収束する。
【０００８】
出力音圧レベルは、音声信号出力部１２０５を介してスピーカ等から拡声されて出力される為、スピーカから出力される音声の音量は、始めは小さくなり、その後徐々に大きくなる。
【０００９】
つまり、入力音圧レベルが下がった場合に、出力音圧レベルも下がってしまわないように出力音圧レベルを設定された音圧レベルまで上げたり、入力音圧レベルが上がった場合に、出力音圧レベルも上がってしまわないように出力音圧レベルを設定された音圧レベルまで下げたりしている。したがって、講演者の声の大きさの変化、講演者が別の講演者に交代したことによる入力音圧レベルの変化、及び講演者とマイクとの位置が変化したことによる入力音圧レベルの変化等に応じて、自動的にその変化に応じて出力音圧レベルを補正し、常に音圧レベル設定部１２０６に設定されている音圧レベルで音声信号を出力させている。
【００１０】
【発明が解決しようとする課題】
しかしながら、上記従来の技術において、講演者と聴講者が同一の空間に存在する場合は、出力音圧レベルを補正した結果が講演者自身にもフィードバックされてしまう。この為、講演者が、例えばスピーカから出力されている自分の声が大きいと判断して声を小さくすると、スピーカから出力される声の音量が一時的に小さくなり、その後徐々に設定された音量へと上昇する。この結果、スピーカから出力される自分の声を聞いた講演者は、自分の話している声が大きくなってきたことを感知して、又、声を小さくする。すると今度は、音量制御部１２０４が音量を上げるといった具合に、音量制御部１２０４は出力音圧レベルの補正を常に行っている為、講演者自身による声の音量の補正（音声入力側の補正）と音響装置１２００による音量の補正（音声信号出力側の補正）が相反する動作となってしまい、結果として、音量の補正ができなくなってしまうという問題点があった。
【００１１】
本発明は、上記従来の問題点に鑑み為されたものであって、音声信号入力側の補正と音声信号出力側の補正とが相反することを防ぐことができる音響装置を提供することを目的とする。
【００１２】
【課題を解決するための手段】
本発明の音響装置は、入力される音声の入力音声信号レベルを所定の調整レベルにより調整して出力する調整出力手段と、前記調整出力手段における前記調整レベルの変更を開始する為のトリガを発生するトリガ手段と、前記トリガを検知すると、前記入力音声信号レベルを所望の音声信号レベルで出力する為に、前記調整レベルを変更する調整レベル変更手段とを備えることを特徴とする。
【００１３】
本発明によれば、トリガを検知したときのみ調整レベルを変更する為、音声の入力者による音声の調整と調整レベル変更手段による調整レベルの変更とが相反することを防ぐことができる。
【００１４】
又、前記トリガ手段は、前記音声の入力者が替わった場合に前記トリガを発生させる為のスイッチであることを特徴とする。
【００１５】
本発明によれば、音声の入力者が替わったときのみ、入力音声信号レベルを所望の音声信号レベルで出力するように調整レベルを変更する為、音声の入力者による音声の調整と調整レベル変更手段による調整レベルの変更とが相反することを防ぐことができる。
【００１６】
又、前記トリガ手段は、前記入力音声信号レベルの変化によって前記入力者が替わったことを認識した場合に、前記トリガを発生し、更に前記トリガを発生させる為のスイッチを備えることを特徴とする。
【００１７】
本発明によれば、音声の入力者が替わったときのみ、入力音声信号レベルを所望の音声信号レベルで出力するように調整レベルを変更する為、音声の入力者による音声の調整と調整レベル変更手段による調整レベルの変更とが相反することを防ぐことができる。又、音声の入力者が代わったとき以外の状況でも、スイッチによってトリガを発生させることができる。
【００１８】
又、前記トリガが発生する毎に、前記調整出力手段から出力される音声信号レベルに、前記トリガに応じた見出しを付して記録する記録手段を備えたことを特徴とする。
【００１９】
本発明によれば、トリガが発生する毎に、調整出力手段から出力される音声信号レベルを、見出しを付して記録する為、記録した音声信号レベルの検索性が向上する。
【００２０】
又、前記トリガ手段が、前記入力される音声の特徴を示すデータを検出して前記入力者が替わったことを認識するものであって、前記入力者の音声の特徴を示すデータ及び当該入力者の名前が記録される記録手段と、前記トリガ手段が検出した音声の特徴を示すデータに応じた入力者の名前を前記記録手段から読み出す読み出し手段と、前記読み出し手段によって読み出された前記入力者の名前を表示する表示手段とを備えることを特徴とする。
【００２１】
本発明によれば、音声の入力者が代わる毎に、表示手段にその入力者の名前を表示する為、誰が音声を入力しているかを視認することができる。
【００２２】
又、前記トリガ手段が、前記入力される音声の特徴を示すデータを検出して前記入力者が替わったことを認識するものであって、前記入力者の音声の特徴を示すデータ及び当該入力者の名前が記録される第１の記録手段と、前記トリガ手段が検出した音声の特徴を示すデータに応じた入力者の名前を前記記録手段から読み出す読み出し手段と、前記トリガが発生する毎に、前記読み出し手段が読み出した前記入力者の名前を見出しに付して、前記調整出力手段から出力される音声信号レベルを記録する第２の記録手段とを備えることを特徴とする。
【００２３】
本発明によれば、音声の入力者が代わる毎に、調整出力手段から出力される音声信号レベルを、その入力者の名前を付して記録する為、記録した音声信号レベルの検索性が向上する。
【００２４】
又、ハウリングが発生したことを前記調整レベル変更手段に通知するハウリング通知手段を備え、前記調整レベル変更手段は、前記ハウリング通知手段からの通知により、前記調整出力手段から出力される音声信号レベルを下げるように前記調整レベルを変更することを特徴とする。
【００２５】
本発明によれば、ハウリングが発生した場合に、調整出力手段から出力される音声信号レベルを下げる為、ハウリングを抑制することができる。
【００２６】
又、前記入力音声信号レベルが前記所望の音声信号レベルで出力されるまでの時間変化パターンデータを生成して記録するパターンデータ記録手段を備え、前記調整レベル変更手段は、前記パターンデータ記録手段に記録されている前記時間変化パターンデータを用いて、前記調整出力手段における前記調整レベルを変更することを特徴とする。
【００２７】
本発明によれば、生成したパターンデータによって、入力音声信号レベルを所望の音声信号レベルで出力するように調整することができる。
【００２８】
又、前記調整レベルの変更に連動して動作するフェーダを備えたことを特徴とする。
【００２９】
本発明によれば、調整レベル変更手段による調整レベルの変更に連動してフェーダが動く為、調整レベルの変更状況を視認することができる。
【００３０】
又、前記フェーダのフェーダ位置情報を検出する位置検出手段と、前記フェーダに外部からの接触があると、前記調整レベル変更手段に前記調整レベルの変更を中止するトリガを与える調整レベル変更中止トリガ手段とを備え、前記調整レベルの変更の中止後、前記調整レベル変更手段は、前記フェーダ位置情報に応じて前記調整レベルを変更することを特徴とする。
【００３１】
本発明によれば、調整レベル変更手段が調整レベルの変更を行っている際中であっても、手動による調整レベルの変更へと切り替えることができる。
【００３２】
【発明の実施の形態】
以下、本発明に実施形態について図面を参照して説明する。
以下では、講演を行う際に使用される音響装置について説明する。
（第一実施形態）
図１は、第一実施形態に係る音響装置の内部構成を示すブロック図である。
同図に示したように、音響装置１００は、音声信号入力部１０１、特許請求の範囲の調整出力手段に該当する音量調整器１０２、入力音圧測定部１０３、特許請求の範囲の調整レベル変更手段に該当する音量制御部１０４、音声信号出力部１０５、音圧レベル設定部１０６、時間設定部１０７、及び特許請求の範囲のトリガ手段に該当する話者切り替えスイッチ１０８を備えて構成される。
【００３３】
音声信号入力部１０１は、講演者によってマイク等に入力された音声の音声信号を音量調整器１０２及び入力音圧測定部１０３に入力する。入力音圧測定部１０３は、音声信号入力部１０１によって入力された音声信号の所定時間における平均である平均音圧レベル（以下、入力音圧レベルという）を測定し、測定した平均音圧レベルを音量制御部１０４に入力する。音量調整器１０２は、音声信号入力部１０１によって入力された音声信号を、音量制御部１０４の制御によって調整して出力する。音量調整器１０２から出力された音声信号は、音声信号出力部１０５から出力されてスピーカ等によって拡声されるとともに、音量制御部１０４にも入力される。
【００３４】
音圧レベル設定部１０６は、音声信号出力部１０５から出力される音声信号の音圧レベル（以下、出力音圧レベルという）を、音響装置１００の操作者によって設定する為のスイッチ等から構成される。時間設定部１０７は、出力音圧レベルが音圧レベル設定部１０６に設定された音圧レベルになるまでに要する時間を、音響装置１００の操作者によって設定する為のスイッチ等から構成される。
【００３５】
話者切替スイッチ１０８は、音量制御部１０４にトリガを与える為のスイッチであり、講演者が交代した場合に、音響装置１００の操作者によって押下される。尚、音響装置１００の操作者は、講演者が交代した場合のみに限らず、講演者とマイクとの距離が変化してスピーカから出力される講演者の声の音量が大きく変化した場合や何らかの要因でスピーカから出力される音量が大きく変動してしまった場合等において話者切り替えスイッチ１０８を押下しても良い。
【００３６】
音量制御部１０４は、話者切り替えスイッチ１０８が押下され、トリガが与えられると音量調整器１０２の制御を開始する。具体的には、入力音圧測定部１０３から入力される入力音圧レベルと、音量調整器１０２から出力される出力音圧レベルとに基づいて、時間設定部１０７に設定された時間で、音圧レベル設定部１０６に設定されている音圧レベルに出力音圧レベルが収束するように、音量調整器１０２を制御する。尚、音圧レベル設定部１０６に設定されている音圧レベルに出力音圧レベルが収束した後は、話者切り替えスイッチ１０８が再び押下されるまで、音量制御部１０４は音量調整器１０２の制御を行わない。
【００３７】
以上説明したように、本実施形態によれば、話者切替スイッチ１０８が押下されたときのみ、即ち、講演者が交代した場合のみ、音量調整器１０２から出力させる出力音圧レベルを、設定した音圧レベルに収束するように音量制御部１０４が制御する。設定した音圧レベルに出力音圧レベルが収束した後は、講演者から入力される音声の音声信号レベルが多少変動しても、音量調整器１０２の制御を行わない。この為、講演者自身による声の大きさの調整と、音量制御部１０４による出力音圧レベルの調整とが相反することを防ぐことができる。
【００３８】
又、講演者とマイクとの距離が変化してスピーカから出力される講演者の声の音量が大きく変化した場合や何らかの要因でスピーカから出力される音量が大きく変動してしまった場合等においても、任意のタイミングで出力音圧レベルの調整を行うことができる。したがって、状況に応じて出力音圧レベルの調整を行うことができる。
【００３９】
（第二実施形態）
第二実施形態に係る音響装置は、第一実施形態で説明した話者切替スイッチ１０８の替わりに、講演者が切り替わったことを、音声信号入力部１０１によって入力された音声信号の変化によって認識した場合に、音量制御部１０４に対してトリガを与える音声認識部２０８を備えた構成としたものである。
【００４０】
図２は、第二実施形態に係る音響装置２００の内部構成を示すブロック図である。同図において、図１と同様の構成には同一符号を付して説明を省略する。
図２に示した音声認識部２０８は、音声信号入力部１０１によって入力された音声信号が変化したことを検出し、音量制御部１０４に対してトリガを与える。尚、音声信号入力部１０１によって入力された音声信号の変化は、例えば、声紋の変化等によって検出する。トリガを与えられた音量制御部１０４は、第一実施形態で説明した動作と同様の動作を行う。
【００４１】
以上説明したように、本実施形態によれば、講演者が交代したことを、音声認識部２０８が自動的に認識して、音量制御部１０４にトリガを与える。この為、音響装置２００の操作者が、講演者の交代がある度に、話者切替スイッチ１０８を押下する必要がなくなる。
【００４２】
（第三実施形態）
第三実施形態に係る音響装置は、第一実施形態で説明した音響装置１００が、ハウリング検出部３０１を備えた構成としたものである。
図３は、第三実施形態に係る音響装置３００の内部構成を示すブロック図である。同図において、図１と同様の構成には同一符号を付して説明を省略する。
図３に示したハウリング検出部３０１は、音声入力部１０１から入力された音声信号の音圧レベルを監視し、入力されている音声信号の音圧レベルの所定時間における平均値と、入力されている音声信号を周波数分析（ＦＦＴと言う）した際のピーク値との差が、ピーク値を持つ周波数が同一で且つある一定時間以上連続して一定値以上の差を有した場合に、ハウリングの発生として検出する。ハウリングの発生を検出した場合は、音量制御部３０４にハウリング検出信号を入力する。
【００４３】
音量制御部３０４は、第一実施形態で説明した音量制御部１０４の機能に加えて、ハウリング検出信号が入力されると、ハウリング検出信号が入力されなくなるまで、出力音圧レベルを例えば０．５ｄＢづつ下げる制御を音量調整器１０２に対して行う。その他の構成は、第一実施形態で説明した構成と同様である。
【００４４】
以上説明したように、本実施形態によれば、話者切替スイッチ１０８が押下されていない場合（トリガが与えられていない場合）でも、ハウリングが発生した場合は、音量調整器１０２を制御して出力音圧レベルを下げることで、ハウリングを抑制することができる。又、音量を上げる制御を行う際に、音量を上げすぎて発生するハウリングを防ぐことができる。
【００４５】
（第四実施形態）
第四実施形態に係る音響装置は、第二実施形態で説明した音響装置２００が、ハウリング検出部４０１を備えた構成としたものである。
図４は、第四実施形態に係る音響装置４００の内部構成を示すブロック図である。同図において、図２と同様の構成には同一符号を付して説明を省略する。
図４に示したハウリング検出部４０１は、音声入力部１０１から入力された音声信号の音圧レベルを監視し、入力されている音声信号の音圧レベルの所定時間における平均値と、入力されている音声信号の音圧レベルのピーク値との差、及び、入力されている音声信号の音圧レベルのピーク値とそのピーク値の次に高い音圧レベル値との差に基づいて、ハウリングの発生を検出する。そして、ハウリングの発生を検出した場合は、音量制御部３０４にハウリング検出信号を入力する。
【００４６】
音量制御部４０４は、第二実施形態で説明した音量制御部１０４の機能に加えて、ハウリング検出信号が入力されると、ハウリング検出信号が入力されなくなるまで、出力音圧レベルを例えば０．５ｄＢづつ下げる制御を音量調整器１０２に対して行う。その他の構成は、第二実施形態で説明した構成と同様である。
【００４７】
以上説明したように、本実施形態によれば、講演者が交代していない場合（トリガが与えられていない場合）でも、ハウリングが発生した場合は、音量調整器１０２を制御して出力音圧レベルを下げることで、ハウリングを抑制することができる。
【００４８】
（第五実施形態）
第五実施形態に係る音響装置は、第二実施形態で説明した音響装置２００が、再設定スイッチ５０１を備えた構成としたものである。
図５は、第五実施形態に係る音響装置５００の内部構成を示すブロック図である。同図において、図２と同様の構成には同一符号を付して説明を省略する。
図５に示した再設定スイッチ５０１は、講演者が交代したことを音声認識部２０８が講演者の相違を検出できなかった場合、講演者とマイクとの距離が変化してスピーカから出力される講演者の声の音量が大きく変化した場合、又は何らかの要因でスピーカから出力される音量が大きく変動してしまった場合等に、音響装置５００の操作者によって、手動で音量制御部５０４にトリガを与える為のスイッチである。音量制御部５０４は、再設定スイッチ５０１が押下され、トリガが与えられると、そのトリガによって、第一実施形態で説明した音量制御部１０４と同様の動作を行う。
【００４９】
尚、本実施形態に係る音響装置５００と、第四実施形態で説明したハウリング検出部４０１とを組み合わせることも可能である。
【００５０】
以上説明したように、本実施形態によれば、音声認識部２０８が講演者の交代を認識できなかった場合又は講演者の交代以外の場合でも、再設定スイッチ５０１を押下して、音量制御部５０４にトリガを与えることで、任意のタイミングで出力音圧レベルの調整を行うことができる。
【００５１】
（第六実施形態）
第六実施形態に係る音響装置は、第一実施形態で説明した音響装置１００が、特許請求の範囲の記録手段に該当する記録装置６０１及びトリガ検出装置６０２を備えた構成としたものである。
図６は、第六実施形態に係る音響装置６００の内部構成を示すブロック図である。同図において、図１と同様の構成には同一符号を付して説明を省略する。
図６に示したトリガ検出装置６０２は、話者切替スイッチ１０８が押下されたことによるトリガを検出し、トリガを検出したことを記録装置６０１に通知する。記録装置６０１は、トリガ検出装置６０２から通知されたトリガに基づいて、例えば、番号等の見出しを付して、音量調整器１０２から出力される出力音声信号をハードディスクやＣＤ−Ｒ等に記録する。
【００５２】
尚、本実施形態に係る音響装置６００と、第三実施形態で説明したハウリング検出部３０１とを組み合わせることも可能である。
【００５３】
以上説明したように、本実施形態によれば、講演者が交代する毎に、番号等の見出しを付してハードディスクやＣＤ−Ｒ等に、その講演者の入力した音声信号を記録する為、記録した音声信号の頭出し等を容易に行うことができる。
【００５４】
（第七実施形態）
第七実施形態に係る音響装置は、第二実施形態で説明した音響装置２００が、記録装置７０１及びトリガ検出装置７０２を備えた構成としたものである。
図７は、第七実施形態に係る音響装置７００の内部構成を示すブロック図である。同図において、図２と同様の構成には同一符号を付して説明を省略する。
図７に示したトリガ検出装置７０２は、音声認識部２０８が講演者の交代を認識したことによるトリガを検出し、トリガを検出したことを記録装置７０１に通知する。記録装置７０１は、トリガ検出装置７０２から通知されたトリガに基づいて、例えば、番号等の見出しを付して、音量調整器１０２から出力される出力音声信号をハードディスクやＣＤ−Ｒ等に記録する。
【００５５】
尚、本実施形態に係る音響装置７００と、第四実施形態で説明したハウリング検出部４０１とを組み合わせることも可能である。
【００５６】
以上説明したように、本実施形態によれば、講演者が交代する毎に、番号等の見出しを付してハードディスクやＣＤ−Ｒ等に、その講演者の入力した音声信号を記録する為、記録した音声信号の頭出し等を容易に行うことができる。
【００５７】
（第八実施形態）
第八実施形態に係る音響装置は、第二実施形態で説明した音響装置２００が、情報入力装置８０１、特許請求の範囲の読み出し手段に該当する制御部８０２、特許請求の範囲の表示手段に該当する名称表示装置８０３、及び特許請求の範囲の記録手段に該当するメモリ８０４を備えた構成としたものである。又、音声認識部８０８は、第二実施形態で説明した音声認識部２０８と同様の機能も備えている。
図８は、第八実施形態に係る音響装置８００の内部構成を示すブロック図である。同図において、図２と同様の構成には同一符号を付して説明を省略する。
【００５８】
情報入力装置８０１は、音響装置８００の操作者が、講演者の名称及びその講演者の声紋情報等を制御部８０２に入力する為のものである。メモリ８０４には、情報入力装置８０１によって入力された講演者の名称及びその講演者の声紋情報等が、制御部８０２によって記録される。名称表示装置８０３は、メモリ８０４に登録されている講演者の名称を制御部８０２の制御によって表示する。音声認識部８０８は、音声入力部１０１から入力された音声信号の声紋情報を検出し、検出した声紋情報を制御部８０２に入力する。制御部８０２は、音声認識部８０２から入力された声紋情報に対応する講演者の名称をメモリ８０４から読み出し、名称表示装置８０３に表示させる制御を行う。
【００５９】
尚、本実施形態に係る音響装置８００と、第四実施形態で説明したハウリング検出部４０１、第五実施形態で説明した再設定スイッチ５０１、及び第七実施形態で説明した記録装置７０１、トリガ検出装置７０２とを組み合わせることも可能である。
【００６０】
以上説明したように、本実施形態によれば、講演者が交代する毎に、交代した講演者の名称を名称表示装置８０３に表示させる為、誰が講演をしているのかを名称表示装置８０３に表示された名称によって判断することができる。
【００６１】
（第九実施形態）
第九実施形態に係る音響装置は、第七実施形態で説明した音響装置７００の記録装置７０１を特許請求の範囲の第２の記録手段に該当する記録装置９０６とし、更に情報入力装置９０１、特許請求の範囲の読み出し手段に該当する制御部９０２、特許請求の範囲の第１の記録手段に該当するメモリ９０４、及びＩＤネーム生成装置９０５を備えた構成としたものである。又、音声認識部９０８は、第七実施形態で説明した音声認識部２０８と同様の機能も備える。
図９は、第九実施形態に係る音響装置９００の内部構成を示すブロック図である。同図において、図７と同様の構成には同一符号を付して説明を省略する。
【００６２】
情報入力装置９０１は、音響装置９００の操作者が、講演者の名称及びその講演者の声紋情報等を制御部９０２に入力する為のものである。メモリ９０４には、情報入力装置９０１によって入力された講演者の名称及びその講演者の声紋情報等が、制御部９０２によって記録される。音声認識部９０８は、音声入力部１０１から入力された音声信号の声紋情報を検出し、検出した声紋情報を制御部９０２に入力する。制御部９０２は、音声認識部９０２から入力された声紋情報に対応する講演者の名称をメモリ９０４から読み出し、ＩＤネーム生成装置９０５に入力する。ＩＤネーム生成装置９０５は、制御部９０２から入力された講演者の名称から、その名称を表すＩＤネームを生成して、記録装置９０６に入力する。記録装置９０６は、トリガ検出装置７０２から通知されたトリガに基づいて、音量調整器１０２から出力される出力音声信号の先頭に、入力されたＩＤネームを付して、ハードディスクやＣＤ−Ｒ等に記録する。
【００６３】
尚、本実施形態に係る音響装置９００と、第四実施形態で説明したハウリング検出部４０１及び第五実施形態で説明した再設定スイッチ５０１とを組み合わせることも可能である。
【００６４】
以上説明したように、本実施形態によれば、講演者が交代する毎に、交代した講演者の名称を表すＩＤネームを見出しに付して、その講演者の入力した音声信号をハードディスクやＣＤ−Ｒ等に記録する為、記録した音声信号を、講演者の名称毎に頭出しすることができる。
【００６５】
（第十実施形態）
第十実施形態に係る音響装置は、第一実施形態で説明した音響装置１００の音量制御部１０４を音量制御部１００４とし、更にフェーダ１００６、ＡＤ変換器１００７、フェードカーブメモリ１００８、及びスタート／ストップスイッチ１００９を備えた構成としたものである。
図１０は、第十実施形態に係る音響装置１０００の内部構成を示すブロック図である。同図において、図１と同様の構成には同一符号を付して説明を省略する。
【００６６】
ＡＤ変換器１００７は、フェーダ１００６のフェーダ位置の時間変化を読み取り、デジタル信号に変換してフェードカーブメモリ１００８に入力する。フェードカーブメモリ１００８は、スタート／ストップスイッチ１００９が操作者によって押下されてから、再度押下されるまでのフェーダ１００６のフェーダ位置の時間変化（フェードカーブ）を記録する。
【００６７】
音量制御部１００４は、話者切り替えスイッチ１０８が押下されトリガが与えられると、フェードカーブメモリ１００８にトリガを与え、フェードカーブメモリ１００８に記録されているフェードカーブによって音量調整器１０２を制御する。フェードカーブメモリ１００８は、トリガが与えられると、記録されているフェードカーブを読み出して音量制御部１００４に送信する。
【００６８】
尚、本実施形態に係る音響装置１０００を第二実施形態から第九実施形態で説明した構成と組み合わせることも可能である。
【００６９】
以上説明したように、本実施形態によれば、フェードカーブメモリ１００８に予め記録したフェードカーブを用いて、音量調整器１０２の制御を行う為、任意の時間変化で、出力音圧レベルを調整することができる。
【００７０】
（第十一実施形態）
第十一実施形態に係る音響装置は、第一実施形態で説明した音響装置１００の音量制御部１０４を音量制御部１１０４とし、更にモータフェーダ１１１２、ＡＤ変換器１１１３、タッチ検出部１１１４、及びドライバ１１１５を備えた構成としたものである。
図１１は、第十一実施形態に係る音響装置１１００の内部構成を示すブロック図である。同図において、図１と同様の構成には同一符号を付して説明を省略する。
【００７１】
モータフェーダ１１１２は、モーター等により物理的にフェーダ位置を変更可能なものである。尚、モータフェーダ１１１２は、手動によってもフェーダ位置を変更可能である。ドライバ１１１５は、音量調整器１０２から出力される出力音圧レベルの変化によってモータフェーダ１１１２を動作させる。ＡＤ変換器１１１３は、モータフェーダ１１１２のフェーダ位置情報を読み取り、音量制御部１１０４に入力する。タッチ検出部１１１４は、モータフェーダ１１１２が操作者によって触られたことを検出すると、音量調整器１０２への制御を中止させる為の制御中止信号を音量制御部１１０４に送信する。
【００７２】
音量制御部１１０４は、話者切り替えスイッチ１０８が押下されトリガが与えられると、設定された音圧レベル及び時間で音量調整器１０２の制御を開始する。同時に、音量調整器１０２から出力される出力音圧レベルの変化をドライバ１１１５に伝達する。
【００７３】
更に、音量制御部１１０４は、タッチ検出部１１１４からの制御中止信号を受信すると、ＡＤ変換器１１１３で読み込まれたモータフェーダ１１１２のフェーダ位置情報に基づいて音量調整器１０２の制御を行う。
【００７４】
尚、本実施形態に係る音響装置１１００を、第二実施形態から第十実施形態で説明した構成と組み合わせることも可能である。
【００７５】
以上説明したように、本実施形態によれば、音量調整器１０２から出力される出力音圧レベルに連動してモータフェーダ１１１２が動く為、出力音圧レベルの調整状態を目で確認することができる。又、モータフェーダ１１１２を手動動作に切り替えることができる為、どんな状況でも、手動で出力音圧レベルを調整することができる。
【００７６】
したがって、自動制御で大まかに調整の後、手動で微調整を加える、若しくは、実際の音場の状態に応じて過度の制御を防ぐといった、自動制御による特便性と柔軟性を両立することが可能となる。
【００７７】
【発明の効果】
本発明によれば、トリガを検知したときのみ調整出力手段における調整レベルを変更する為、音声の入力者による音声の調整と調整レベル変更手段による調整レベルの変更とが相反することを防ぐことができる音響装置を提供できるものである。
【図面の簡単な説明】
【図１】  第一実施形態に係る音響装置の内部構成を示すブロック図である。
【図２】  第二実施形態に係る音響装置の内部構成を示すブロック図である。
【図３】  第三実施形態に係る音響装置の内部構成を示すブロック図である。
【図４】  第四実施形態に係る音響装置の内部構成を示すブロック図である。
【図５】  第五実施形態に係る音響装置の内部構成を示すブロック図である。
【図６】  第六実施形態に係る音響装置の内部構成を示すブロック図である。
【図７】  第七実施形態に係る音響装置の内部構成を示すブロック図である。
【図８】  第八実施形態に係る音響装置の内部構成を示すブロック図である。
【図９】  第九実施形態に係る音響装置の内部構成を示すブロック図である。
【図１０】  第十実施形態に係る音響装置の内部構成を示すブロック図である。
【図１１】  第十一実施形態に係る音響装置の内部構成を示すブロック図である。
【図１２】  従来の音響装置の内部構成を示すブロック図である。
【符号の説明】
１００、２００，３００，４００，５００，６００，７００，８００，９００，１０００，１１００，１２００  音響装置
１０１、１１０１，１２０１  音声入力部
１０２，１１０２，１２０２  音量調整器
１０３，１２０３  入力音圧測定部
１０４，３０４，４０４，５０４，１００４，１１０４，１２０４  音量制御部
１０５，１２０５  音声信号出力部
１０６，１２０６  音圧設定部
１０７  時間設定部
１０８  話者切り替えスイッチ
２０８，８０８，９０８  音声認識部
３０１，４０１  ハウリング検出部
５０１  再設定スイッチ
６０１，７０１，９０６  記録装置
６０２，７０２  トリガ検出部
８０１，９０１  情報入力装置
８０２，９０２  制御部
８０３  名称表示装置
８０４，９０４  メモリ
９０５  ＩＤネーム生成装置
１００６  フェーダ
１００７，１１１３  ＡＤ変換器
１００８  フェードカーブメモリ
１００９  スタート／ストップスイッチ
１１１２  モータフェーダ
１１１４  タッチ検出部
１１１５  ドライバ
【図１】
0004094334.tif 000002
【図２】
0004094334.tif 000003
【図３】
0004094334.tif 000004
【図４】
0004094334.tif 000005
【図５】
0004094334.tif 000006
【図６】
0004094334.tif 000007
【図７】
0004094334.tif 000008
【図８】
0004094334.tif 000009
【図９】
0004094334.tif 000010
【図１０】
0004094334.tif 000011
【図１１】
0004094334.tif 000012
【図１２】
0004094334.tif 000013